(57)【要約】【課題】外力や薬効低下などによる防蟻性能の低下を引き起こすことなく、長期間に亘って確実に白蟻の侵入を防止可能な防蟻構造と防蟻建築物の製造方法を提供する。【解決手段】建築物の基礎コンクリート構造に無機繊維集合体により包囲された配管が埋設されている防蟻構造。配筋を含む基礎コンクリート構造を有する防蟻建築物の製造方法であって、以下のステップを含む。無機繊維集合体により包囲された配管を準備する第１ステップと、準備された配管を配筋の間隙に挿入する第２ステップと、設置された配管と配筋の間隙にコンクリートを流し込み、硬化する第３ステップと、を備える。また、配筋の間隙にコンクリートを流し込み、硬化する第１ステップと、硬化したコンクリートに配管を通すための孔部を設ける第２ステップと、無機繊維集合体により包囲された配管を準備する第３ステップと、第２ステップで設けられた孔部に第３ステップで準備された配管を挿入する第４ステップと、を備える。【選択図】図１
2019044554.tif 000002
【特許請求の範囲】
【請求項１】
建築物の基礎コンクリート構造に、無機繊維集合体により包囲された配管が埋設されていることを特徴とする防蟻構造。
【請求項２】
前記基礎コンクリート構造が立設部を有しており、前記配管が該立設部に埋設されている請求項１に記載の防蟻構造。
【請求項３】
前記基礎コンクリート構造が土壌面に平行な横設部を有しており、前記配管が該横設部に埋設されている請求項１または２に記載の防蟻構造。
【請求項４】
前記無機繊維集合体が、防蟻剤及び／または保湿剤を含む請求項１〜３のいずれかに記載の防蟻構造。
【請求項５】
前記無機繊維集合体が、グラスウールまたはロックウールである請求項１〜４のいずれかに記載の防蟻構造。
【請求項６】
前記配管が複数の管を有する請求項１〜５のいずれかに記載の防蟻構造。
【請求項７】
配筋を含む基礎コンクリート構造を有する防蟻建築物の製造方法であって、
無機繊維集合体により包囲された配管を準備する第１ステップと、
前記第１ステップで準備された配管を前記配筋の間隙に挿入する第２ステップと、
前記第２ステップで設置された配管と前記配筋の間隙にコンクリートを流し込み、硬化する第３ステップと、を備える防蟻建築物の製造方法。
【請求項８】
配筋を含む基礎コンクリート構造を有する防蟻建築物の製造方法であって、
前記配筋の間隙にコンクリートを流し込み、硬化する第１ステップと、
前記第１ステップで流し込み、硬化したコンクリートに配管を通すための孔部を設ける第２ステップと、
無機繊維集合体により包囲された配管を準備する第３ステップと、
前記第２ステップで設けられた孔部に前記第３ステップで準備された配管を挿入する第４ステップと、を備える防蟻建築物の製造方法。
【請求項９】
前記配管が、前記防蟻建築物の内側の外径より外側の外径が小さくなるように前記無機繊維集合体を包囲して準備するものである請求項８に記載の防蟻建築物の製造方法。
【請求項１０】
前記第１ステップが、前記配筋の間隙にコンクリートを流し込む前にスペーサを設けるものであり、
前記第２ステップが、前記スペーサを外すことで前記孔部を設けるものである請求項８に記載の防蟻建築物の製造方法。
【請求項１１】
前記配管を挿入する前に、前記配筋の間隙または前記孔部の内壁面に前記無機繊維集合体を取付けるものである請求項７または８に記載の防蟻建築物の製造方法。
【発明の詳細な説明】
【技術分野】
【０００１】
本発明は、建築物の防蟻構造、特に、給水管や排水管等が埋設された基礎コンクリート構造を有する防蟻構造と、当該基礎コンクリート構造を有する防蟻建築物の製造方法に関する。
【背景技術】
【０００２】
白蟻は、建物の外部から地中を建物内地下に向けて進み、コンクリート間の間隙や割れ目を縫って建物内部に侵入し、支柱となる木材、断熱材等の建築物を食い荒らすため、近年種々の防蟻手段が開発されている。白蟻は、立ち上がり部を伝ってその上部の木材に到達することから、基礎コンクリートの立ち上がり部に防蟻処理を施すことが提案されている。具体的には、粒状又は液状の防蟻剤を基礎コンクリートに配設することが提案されている。しかし、この方法では、薬剤に有効寿命があり、その後は防蟻剤を再施工する必要があった。
【０００３】
そこで、薬剤によることなく防蟻を達成する手段として、特許文献１には、コンクリート基礎立ち上がり部に密接して板状物を設けること、及びこの板状物として白蟻遮蔽材を使用することが開示されている。特許文献１でいう白蟻遮蔽材とは、白蟻の分泌物に対して耐性を有し、且つ白蟻がかみ砕くことによる穴の形成を防止できる強度を有するものとされており、ポリカーボネートなどの樹脂シート、セラミックシート、ガラス繊維シートなどが例示されている。
【０００４】
特許文献２には、布基礎立ち上がり部の内側の土壌面に土間コンクリートを施工することが開示されている。この事によって土壌面からの白蟻の侵入は抑制される。しかし、土間コンクリートと布基礎立ち上がり部には、間隙が生じやすく、そこからの白蟻の侵入も防ぐ必要がある。そこで特許文献２では、土間コンクリートの下面であって基礎コンクリートと接する部分に粒状のスラグ（高炉冷却スラグ、転炉スラグなど）を敷き詰め、硬化させている。この硬化スラグをバリア層とすることで白蟻の掘り進みを防止している。
【先行技術文献】
【特許文献】
【０００５】
【特許文献１】特開２００７−２１１４１４号公報
【特許文献２】特開２０１４−６２４３５号公報
【発明の概要】
【発明が解決しようとする課題】
【０００６】
しかしながら、特許文献１における板状物は、薬剤を配合しない場合は白蟻忌避効果を有さない。その場合、板状物の内部を掘り進む白蟻の侵入を防止することは可能であっても、板状物の表面の白蟻の通過を防ぐことができない。特に、この板状物は基礎立ち上がり部と地面との間に挿入されており、地面側から地表に出て来て、板状物の表面を伝って建物土台に到達する白蟻の侵入経路に対しては無防備であるという課題があった。
【０００７】
また、特許文献２における硬化スラグは硬質であるが故に白蟻の掘り進みを防止できる一方、地震などの衝撃で割れが生じることも懸念される。一旦、割れが生じると、白蟻の侵入を防止することができないという課題があった。
【０００８】
さらに、白蟻は、太陽光温水器等の給水管や排水管等が埋設された建物において、当該給水管や排水管等を伝って建物土台に到達することがわかっており、このような白蟻の侵入経路に対しては特段の対策が施されていなかった。
【０００９】
本発明は上記の事情に着目してなされたものであって、その目的は、給水管や排水管等が埋設された建築物の基礎コンクリートを有する構造において、外力や薬効低下などによる防蟻性能の低下を引き起こすことなく、長期間に亘って確実に白蟻の侵入を防止可能な防蟻構造と防蟻建築物の製造方法を提供することにある。
【課題を解決するための手段】
【００１０】
上記課題を解決し得た本発明の防蟻構造は、建築物の基礎コンクリート構造に、無機繊維集合体により包囲された配管が埋設されている点に特徴を有する。
【００１１】
本発明の防蟻構造において、基礎コンクリート構造が立設部を有しており、前記配管が該立設部に埋設されていることが好ましい。
【００１２】
本発明の防蟻構造において、基礎コンクリート構造が土壌面に平行な横設部を有しており、前記配管が該横設部に埋設されていることが好ましい。
【００１３】
本発明の防蟻構造において、無機繊維集合体がグラスウールまたはロックウールであることが好ましく、防蟻剤及び／または保湿剤を含んでいてもよい。
【００１４】
本発明の防蟻構造において、配管が複数の管を有することが好ましい。
【００１５】
また、上記課題を解決し得た本発明の防蟻建築物の製造方法は、配筋を含む基礎コンクリート構造を有する防蟻建築物の製造方法であって、無機繊維集合体により包囲された配管を準備する第１ステップと、前記第１ステップで準備された配管を前記配筋の間隙に挿入する第２ステップと、前記第２ステップで設置された配管と前記配筋の間隙にコンクリートを流し込み、硬化する第３ステップと、を備える点に特徴を有する。
【００１６】
さらに、本発明の防蟻建築物の製造方法は、配筋を含む基礎コンクリート構造を有する防蟻建築物の製造方法であって、前記配筋の間隙にコンクリートを流し込み、硬化する第１ステップと、前記第１ステップで流し込み、硬化したコンクリートに配管を通すための孔部を設ける第２ステップと、無機繊維集合体により包囲された配管を準備する第３ステップと、前記第２ステップで設けられた孔部に前記第３ステップで準備された配管を挿入する第４ステップと、を備える点に特徴を有する。
【００１７】
本発明の防蟻建築物の製造方法において、配管が、前記防蟻建築物の内側の外径より外側の外径が小さくなるように前記無機繊維集合体を包囲して準備するものであることが好ましい。
【００１８】
本発明の防蟻建築物の製造方法において、第１ステップが、配筋の間隙にコンクリートを流し込む前にスペーサを設けるものであり、第２ステップが、スペーサを外すことで孔部を設けるものであることが好ましい。
【００１９】
本発明の防蟻建築物の製造方法において、配管を挿入する前に配筋の間隙または孔部の内壁面に無機繊維集合体を取付けるものであることが好ましい。
【発明の効果】
【００２０】
本発明の防蟻構造によれば、建築物の基礎コンクリート構造に無機繊維集合体により包囲された配管が埋設されており、無機繊維集合体が基礎コンクリートの自重により圧縮された状態になる。また、無機繊維集合体は白蟻の食害に対して強い性質を持つことから、このような状態にすることで、給水管や排水管等を伝って建築物土台に到達する白蟻の侵入経路を絶つことができ、長期間に亘って持続的に白蟻の侵入を防止することができる。
【００２１】
また、本発明の防蟻建築物の製造方法によれば、基礎コンクリートが硬化・収縮した後でも、無機繊維集合体の反発作用によって配管と基礎コンクリートの間に間隙が生じるのを防止できる。また、無機繊維集合体自体は柔軟性があるため、地震などの衝撃を受けても無機繊維集合体の割れなどによる間隙発生の心配がなく、地震などの外力によって配管と基礎コンクリート間の間隙が広くなっても、無機繊維集合体自体は圧縮された状態で埋設されているため、間隙の広がりに応じて拡張する。さらに、無機繊維集合体は白蟻の食害に対して強い性質を持つことから、このように構成することにより、白蟻が配管を伝って建築物土台に到達する侵入経路を絶つことができ、長期間に亘って持続的に白蟻の侵入を防止することができる。
【００２２】
また、本発明の防蟻建築物の製造方法によれば、予め設けられた孔部に対して無機繊維集合体により包囲された配管が後から押し込まれることにより、当該無機繊維集合体が圧縮された状態になる。このような状態とすることにより、孔部と配管の間隙を伝って建築物土台に到達する白蟻の侵入経路を絶つことができ、長期間に亘って持続的に白蟻の侵入を防止することができる。また、予め設けられた孔部に対して、作業者が目視で確認しながら無機繊維集合体により包囲された配管の挿入作業ができるため、当該無機繊維集合体の押し込み量を自在に調整することができる。
【図面の簡単な説明】
【００２３】
【図１】本発明の実施の形態１に係る防蟻構造の一例を示す概略断面図である。
【図２】本発明の実施の形態２に係る防蟻構造の一例を示す概略断面図である。
【図３】本発明の実施の形態３に係る防蟻構造の一例を示す概略断面図である。
【図４】本発明の実施の形態４に係る防蟻構造の一例を示す概略断面図である。
【図５】本発明の実施の形態に係る防蟻建築物の製造方法の一例を示す概略断面図である。
【図６】本発明の実施の形態に係る防蟻建築物の製造方法の他の一例を示す概略断面図である。
【発明を実施するための形態】
【００２４】
以下、本発明のより詳細な具体例を説明するが、本発明は以下の具体例のみに限定されず、前・後記の趣旨に適合し得る範囲で変更を加えて実施することも可能であり、それらはいずれも本発明の技術的範囲に包含される。なお本明細書において、「建築物の内側」は、基礎コンクリートの立設部から建築物内部に向かう方向を示し、「建築物の外側」は、基礎コンクリートの立設部から建築物外部に向かう方向を示す。
【００２５】
（実施の形態１）
図１は、本発明の実施の形態１に係る防蟻構造の一例を示す概略断面図である。図１の防蟻構造１１では、土壌１と接する建築物の基礎コンクリート２において、無機繊維集合体３により表面を包囲された配管４が埋設されている。
【００２６】
このような防蟻構造１１は、具体的には、例えば、無機繊維集合体３により表面を包囲された配管４を土壌１に埋設した後、土壌１に基礎コンクリート２を流し込み、基礎コンクリート２の自重で無機繊維集合体３を押圧しつつ、該基礎コンクリート２を養生・硬化することによって形成できる。そうすると、基礎コンクリート２が硬化・収縮した後でも、無機繊維集合体３の反発作用によって配管４と基礎コンクリート２の間に間隙が生じるのを防止できる。さらには、無機繊維集合体３自体は柔軟性があるため、地震などの衝撃を受けても無機繊維集合体３の割れなどによる間隙発生の心配がなく、また地震などの外力によって配管４と基礎コンクリート２間の間隙が広くなっても、無機繊維集合体３自体は圧縮された状態で埋設されているため、間隙の広がりに応じて拡張する。このように構成することにより、白蟻が配管４を伝って建築物土台に到達する侵入経路を絶つことができ、長期間に亘って持続的に白蟻の侵入を防止することができる。
【００２７】
（実施の形態２）
図２は、本発明の実施の形態２に係る防蟻構造の一例を示す概略断面図である。図２の防蟻構造２１では、土壌１と接する建築物の基礎コンクリート２の立設部５に無機繊維集合体３により表面を包囲された配管４が埋設されている。
【００２８】
このような防蟻構造２１は、具体的には、例えば、無機繊維集合体３により表面を包囲された配管４を土壌１に埋設した後、立設部５に相当する箇所に基礎コンクリート２を流し込み、基礎コンクリート２の自重で無機繊維集合体３を押圧しつつ、該基礎コンクリート２を養生・硬化することによって形成できる。そうすると、基礎コンクリート２が硬化・収縮した後でも、無機繊維集合体３の反発作用によって配管４と基礎コンクリート２（立設部５）の間に間隙が生じるのを防止できる。さらには、無機繊維集合体３自体は柔軟性があるため、地震などの衝撃を受けても無機繊維集合体３の割れなどによる間隙発生の心配がなく、また地震などの外力によって配管４と基礎コンクリート２（立設部５）の間の間隙が広くなっても、無機繊維集合体３自体は圧縮された状態で埋設されているため、間隙の広がりに応じて拡張する。このように構成することにより、白蟻が配管４を伝って建築物内部に到達する侵入経路を絶つことができ、長期間に亘って持続的に白蟻の侵入を防止することができる。
【００２９】
（実施の形態３）
図３は、本発明の実施の形態３に係る防蟻構造の一例を示す概略断面図である。図３の防蟻構造３１では、土壌１と接する建築物の基礎コンクリート２が土壌１に平行な横設部６を有しており、この横設部６に無機繊維集合体３により表面を包囲された配管４が埋設されている。なお、図３は、基礎コンクリート２の立設部５と横設部６が共に存在する場合を示しているが、立設部５が存在しない場合であっても本発明は適用可能である。
【００３０】
このような防蟻構造３１は、具体的には、例えば、無機繊維集合体３により表面を包囲された配管４を土壌１に埋設した後、立設部５と横設部６に相当する箇所に基礎コンクリート２を流し込み、基礎コンクリート２の自重で無機繊維集合体３を押圧しつつ、該基礎コンクリート２を養生・硬化することによって形成できる。そうすると、基礎コンクリート２が硬化・収縮した後でも、無機繊維集合体３の反発作用によって配管４と基礎コンクリート２（立設部５、横設部６）の間に間隙が生じるのを防止できる。さらには、無機繊維集合体３自体は柔軟性があるため、地震などの衝撃を受けても無機繊維集合体３の割れなどによる間隙発生の心配がなく、また地震などの外力によって配管４と基礎コンクリート２（立設部５、横設部６）の間の間隙が広くなっても、無機繊維集合体３自体は圧縮された状態で埋設されているため、間隙の広がりに応じて拡張する。このように構成することにより、白蟻が配管４を伝って建築物内部に到達する侵入経路を絶つことができ、長期間に亘って持続的に白蟻の侵入を防止することができる。
【００３１】
（実施の形態４）
図４は、本発明の実施の形態４に係る防蟻構造の一例を示す概略断面図である。本発明の実施において、配管４が複数の管を有するものであってもよい。具体的には、複数の各種配管を通すための管（鞘管）を用いることができる。図４の防蟻構造４１では、建築物の基礎コンクリート２の立設部５に無機繊維集合体３により表面を包囲された鞘管４Ａが埋設されている。なお、図４のＡ−Ａ断面図で示すように、鞘管４Ａには複数本の配管４が含まれている。
【００３２】
このような防蟻構造４１は、具体的には、例えば、無機繊維集合体３により表面を包囲された鞘管４Ａを土壌１に埋設した後、立設部５に相当する箇所に基礎コンクリート２を流し込み、基礎コンクリート２の自重で無機繊維集合体３を押圧しつつ、該基礎コンクリート２を養生・硬化することによって形成できる。そうすると、基礎コンクリート２が硬化・収縮した後でも、無機繊維集合体３の反発作用によって鞘管４Ａと基礎コンクリート２（立設部５）の間に間隙が生じるのを防止できる。さらには、無機繊維集合体３自体は柔軟性があるため、地震などの衝撃を受けても無機繊維集合体３の割れなどによる間隙発生の心配がなく、また地震などの外力によって鞘管４Ａと基礎コンクリート２（立設部５）の間の間隙が広くなっても、無機繊維集合体３自体は圧縮された状態で埋設されているため、間隙の広がりに応じて拡張する。このように構成することにより、白蟻が鞘管４Ａを伝って建築物内部に到達する侵入経路を絶つことができ、長期間に亘って持続的に白蟻の侵入を防止することができる。
【００３３】
なお、防蟻構造４１について、鞘管４Ａを包囲する無機繊維集合体３を設けることの他に、それぞれの配管４を無機繊維集合体３により表面を包囲するように構成してもよい。このように構成することで、白蟻が鞘管４Ａ、及び鞘管４Ａ内の各配管４を伝って建築物内部に到達する侵入経路を絶つことができ、長期間に亘って持続的に白蟻の侵入を防止することができる。
【００３４】
以下、本発明の実施の形態に係る各構成要素について説明する。
【００３５】
建築物の基礎コンクリート２の構造について、一般に通常の地盤に用いられる布基礎と、比較的軟弱な地盤に用いられるベタ基礎があるが、本発明を実施するにあたり、基礎コンクリート２の構造は特に限定されるものではなく、布基礎、ベタ基礎のどちらも適用できる。
【００３６】
無機繊維集合体３の密度（相当密度）は、例えば５ｋｇ／ｍ３以上１００ｋｇ／ｍ３以下であり、好ましくは１０ｋｇ／ｍ３以上４０ｋｇ／ｍ３以下であり、より好ましくは１４ｋｇ／ｍ３以上３６ｋｇ／ｍ３以下である。相当密度は、住宅金融支援機構仕様書に記載されている密度表示であり、例えば相当密度１０[ｋｇ／ｍ３］は約１０ｋｇ／ｍ３を意味する。
【００３７】
無機繊維集合体３の熱伝導率は、例えば０．０５２Ｗ／（ｍ・Ｋ）以下、好ましくは０．０３８Ｗ／（ｍ・Ｋ）以下、より好ましくは０．０３４Ｗ／（ｍ・Ｋ）以下である。熱伝導率は、例えば温度傾斜法、レーザーフラッシュ法、熱線法等を用いて２５℃で測定することができる。
【００３８】
無機繊維集合体３の平均繊維径は、例えば１５μｍ以下であり、好ましくは８μｍ以下、より好ましくは６μｍ以下である。繊維径が小さい程、コンクリートの表面凹凸への追従性が高まり、白蟻の侵入をより高度に防止できる。また繊維径が小さい程、単位面積当たりの密度が高くなり、断熱性も高まる。
【００３９】
無機繊維集合体３は、人造無機繊維集合体の成形体又は非成形体であることが好ましく、グラスウール又はロックウールの成形体又は非成形体であることがより好ましい。具体的には、グラスウールの成形体として旭ファイバーグラス株式会社から販売されている「アクリアウール１６Ｋ（商品名）」、「アクリアＵボードＮＴ（商品名）」を用いることができる。これらを用いる場合、例えば、ポリエチレンフィルムに包まれていないグラスウール（裸品）を適切な厚みに切り出した後、当該グラスウールを配管表面に巻き付けるようにして包囲すればよい。
【００４０】
グラスウール又はロックウールの非成形体とは、小塊状に加工したものをいい、例えば、吹き込みタイプのグラスウールとして旭ファイバーグラス株式会社から「アクリアブロー（商品名）」として販売されている。また、吹き込みタイプのロックウールとして、ロックウール工業会の「吹込み工法住宅用ロックウール」等が挙げられる。具体的には、例えば、小塊状に加工したグラスウール又はロックウールを吹込み専用機（ブローイングマシーン）にて配管に対して吹き付けるようにすればよい。
【００４１】
無機繊維集合体３は、防蟻剤及び／または保湿剤を含んでいてもよい。無機繊維集合体３に防蟻剤を含ませることにより、給水管や排水管等を伝って建築物土台に到達する白蟻の侵入をより高度に防止することができる。また、無機繊維集合体３に保湿剤を含ませることにより、給水管や排水管等の保湿性を高め、冬季における結露を防止することができる。
【００４２】
配管４は、具体的には、建築物の地下などに埋設される給水管や排水管であり、本発明の実施において、例えば、硬質のポリ塩化ビニル管や、給水・給湯用架橋ポリエチレン管を用いることができる。
【００４３】
次に、本発明の実施の形態に係る防蟻建築物の製造方法について説明する。
【００４４】
本発明の防蟻建築物の製造方法は、以下の３つのステップから構成される。つまり、第１ステップとして、無機繊維集合体により包囲された配管を準備し、次に、第２ステップとして、第１ステップで準備された配管を配筋の間隙に挿入する。その後、第３ステップとして、設置された配管と配筋の間隙にコンクリートを流し込み、硬化する。
【００４５】
本発明の防蟻建築物の製造方法の特徴は、無機繊維集合体により包囲された配管を基礎コンクリートの配筋の間隙に挿入した後、コンクリートを流し込み、硬化させることである。この方法によれば、基礎コンクリートが硬化・収縮した後でも、無機繊維集合体の反発作用によって配管と基礎コンクリートの間に間隙が生じるのを防止できる。また、無機繊維集合体自体は柔軟性があるため、地震などの衝撃を受けても無機繊維集合体の割れなどによる間隙発生の心配がなく、地震などの外力によって配管と基礎コンクリート間の間隙が広くなっても、無機繊維集合体自体は圧縮された状態で埋設されているため、間隙の広がりに応じて拡張する。さらに、無機繊維集合体は白蟻の食害に対して強い性質を持つことから、このように構成することにより、白蟻が配管を伝って建築物土台に到達する侵入経路を絶つことができ、長期間に亘って持続的に白蟻の侵入を防止することができる。
【００４６】
また、本発明の防蟻建築物の別の製造方法は以下の４つのステップから構成される。つまり、第１ステップとして、基礎コンクリートの配筋の間隙にコンクリートを流し込み、硬化した後、第２ステップとして、硬化したコンクリートに配管を通すための孔部を設け、第３ステップとして、無機繊維集合体により包囲された配管を準備し、第４ステップとして、第２ステップで設けられた孔部に第３ステップで準備された配管を挿入する。
【００４７】
前記本発明の防蟻建築物の別の製造方法の特徴は、基礎コンクリートの配筋の間隙にコンクリートを流し込み、硬化した後、配管を通すための孔部を設け、無機繊維集合体により包囲された配管を当該孔部に挿入することである。この方法によれば、予め設けられた孔部に対して無機繊維集合体により包囲された配管が後から押し込まれることにより、当該無機繊維集合体が圧縮された状態になる。このような状態とすることにより、孔部と配管の間隙を伝って建築物土台に到達する白蟻の侵入経路を絶つことができ、長期間に亘って持続的に白蟻の侵入を防止することができる。また、予め設けられた孔部に対して、作業者が目視で確認しながら無機繊維集合体により包囲された配管の挿入作業ができるため、当該無機繊維集合体の押し込み量を自在に調整することができる。
【００４８】
なお、本発明の防蟻建築物の製造方法において、配管が、防蟻建築物の内側の外径より外側の外径が小さくなるように、無機繊維集合体を包囲して準備するものであってもよい。具体的には、例えば、図５に示すように、配管４の周囲を無機繊維集合体３により巻き付ける際に、建築物の内側の外径より外側の外径のほうが小さいテーパ形状となるようにする。そして、無機繊維集合体３がテーパ形状に巻き付けられた配管４を孔部７に押し込むことにより孔部７内で無機繊維集合体３が圧縮され、建築物の内側より外側に移動する白蟻の進入経路を遮断することができる。
【００４９】
また、上記以外の方法として、周囲に無機繊維集合体３を巻き付けていない配管４を孔部７に挿入した後、配管４と孔部７との間の間隙に対して、無機繊維集合体３を後から押し込むように行ってもよい。具体的には、例えば、配管４と孔部７との間の間隙に対して無機繊維集合体３の押し込み量を徐々に増やすことで、建築物の外側よりも内側のほうが無機繊維集合体３の押し込み量が増加するようにして行ってもよい。このようにすることで、配管４と孔部７との間の間隙に対して無機繊維集合体３の押し込み量を自在に調整することができ、押し込まれた無機繊維集合体３は孔部７の中で満遍なく圧縮され、建築物の内側より外側に移動する白蟻の進入経路を遮断することができる。
【００５０】
さらに、上記防蟻建築物の別の製造方法は以下のように行ってもよい。まず、第１ステップとして、配筋の間隙にコンクリートを流し込む前に、配管４や鞘管４Ａを通す孔部７を設けるためのスペーサを設置した後、コンクリートを流し込み、硬化させる。次に、第２ステップとして、当該スペーサを外すことで孔部７が設けられる。続いて第３ステップとして、第２ステップで設けられた孔部７の内壁面に無機繊維集合体３を接着剤等により取付けると共に、孔部７に挿入するための配管４や鞘管４Ａを準備する。次に、第４ステップとして、第２ステップで設けられた孔部７に第３ステップで準備された配管４や鞘管４Ａを挿入する。
【００５１】
なお、無機繊維集合体３の取付けに関して、上記のように、配筋の間隙にコンクリートが流し込まれて硬化した後に設けられる孔部７の内壁面以外に、配筋の間隙に配管４や鞘管４Ａが挿入される前の間隙の内壁面であってもよい。
【００５２】
図６に、防蟻建築物の製造方法の一例を示す概略断面図を示す。図６に示すように、無機繊維集合体３が孔部７の内壁面に取付けられた際には、本来の孔部７よりも外径が小さくなっており、この状態で鞘管４Ａを孔部７に挿入することにより無機繊維集合体３が押しつぶされた状態となる。したがって、無機繊維集合体３は孔部７の中で満遍なく圧縮され、建築物の内側より外側に移動する白蟻の進入経路を遮断することができる。
【符号の説明】
【００５３】
１      土壌
２      基礎コンクリート
３      無機繊維集合体
４      配管
４Ａ    鞘管
５      コンクリート立設部
６      コンクリート横設部
７      孔部
１１    防蟻構造
２１    防蟻構造
３１    防蟻構造
４１    防蟻構造
【図１】
2019044554.tif 000003
【図２】
2019044554.tif 000004
【図３】
2019044554.tif 000005
【図４】
2019044554.tif 000006
【図５】
2019044554.tif 000007
【図６】
2019044554.tif 000008